(57)【要約】【課題】広告装置本体の周辺環境に応じた広告を行うことが可能な、広告効果に優れた広告装置を提供する。【解決手段】広告対象が表示される複数の表示パネル３１〜３３を有する表示媒体３０と、各表示パネル３１〜３３を一体的に回転させる回転手段５１と、広告装置本体の周辺環境をセンシングするセンサ６０と、センサ６０によってセンシングされた周辺環境に基づいて回転手段５１の回転態様を制御する制御手段５２とを備える広告装置を提供する。【選択図】  図２
2010128110.tif 000002
【特許請求の範囲】
【請求項１】
広告対象が表示される複数の表示パネルを有する表示媒体と、
前記各表示パネルを一体的に回転させる回転手段と、
広告装置本体の周辺環境をセンシングするセンサと、
前記センサによってセンシングされた周辺環境に基づいて前記回転手段の回転態様を制御する制御手段と、
を備える広告装置。
【請求項２】
前記制御手段は、前記センサから出力されるセンシング結果に基づいて特定人の移動速度を割り出して、当該移動速度に基づいて前記回転手段の回転速度を変更する、請求項１記載の広告装置。
【請求項３】
前記複数の表示パネルは、動画又は静止画を表示可能なパネルを含む、請求項１記載の広告装置。
【請求項４】
前記センサは、音声、画像、温度のいずれかをセンシングする、請求項１記載の広告装置。
【発明の詳細な説明】
【技術分野】
【０００１】
本発明は、広告装置に関する。
【背景技術】
【０００２】
特許文献１には、つぎのような画像表示装置が開示されている。すなわち、光源の２つ又はそれ以上のアレイを有する画像表示装置が開示されている。各アレイは、共通軸を中心に回転可能であり、各アレイの光源は、各光源が共通軸を中心に固有軌跡に沿って旋回するように配置されている。光源は、それを組み合わせて観察者が見ることができる所望の画像を残像によりもたらすように、そのそれぞれの固有軌跡を旋回するときに、コントローラは、各光源により発光される光の強度を調整するように構成されている。
【０００３】
【特許文献１】特表２００８−５１１０３４号公報
【発明の開示】
【発明が解決しようとする課題】
【０００４】
特許文献１に開示されている画像表示装置は、「所望の画像を残像によりもたらすように・・・光の強度を調整するように構成されている」ため、表示対象の画像は限定的であり、たとえば、広告表示を行うことはできない。実際に、特許文献１を見ると、画像表示装置の最小許容回転速度が周囲の明るさレベル及び光源の輝度に依存する、と記載されていて、毎秒約２５回転よりも少ない回転速度では、画像フリッカが分かる程度に存在するが、装置は最低毎秒５回転の回転速度でも動作することが分かった、とされている。
【０００５】
したがって、特許文献１に開示されている画像表示装置を用いて、多種多様な広告を行うことは不可能であったし、広告効果も限定的である。
【０００６】
そこで、本発明は、広告装置本体の周辺環境に応じた広告を行うことが可能な、広告効果に優れた広告装置を提供することを課題とする。
【課題を解決するための手段】
【０００７】
上記課題を解決するために、本発明の広告装置は、
広告対象が表示される複数の表示パネルを有する表示媒体と、
前記各表示パネルを一体的に回転させる回転手段と、
広告装置本体の周辺環境をセンシングするセンサと、
前記センサによってセンシングされた周辺環境に基づいて前記回転手段の回転態様を制御する制御手段と、を備える。
【０００８】
制御手段は、前記センサから出力されるセンシング結果に基づいて特定人の移動速度を割り出して、当該移動速度に基づいて前記回転手段の回転速度を変更するものとするとよい。センサは、音声、画像、温度のいずれかをセンシングするものとするとよい。複数の表示パネルは、動画又は静止画を表示可能なパネルを含むとよい。
【発明の実施の形態】
【０００９】
以下、本発明の実施形態について、図面を参照して説明する。
図１は、本発明の実施形態の広告装置の模式的な外観を示す斜視図である。図１には、以下説明する、筐体１０と、載置台２０と、表示媒体３０と、広告展示部４０と、土台５０と、センサ６０とを示している。
【００１０】
図２は、図１の一部を切り欠いて模式的な内部構造を示す斜視図である。図２には、図１に示したもののほかに、液晶パネル３１，３２と、ＬＥＤパネル３３と、回転手段５１と、制御手段５２と、メモリ５３と、配線５４とを示している。
【００１１】
筐体１０は、円筒状をしている。筐体１０は、透光性を有する素材から成る。具体的には、本実施形態の筐体１０は、ガラス、アクリル樹脂、ポリカーボネート樹脂などからなる。厚みは、例えば５ｍｍ〜１．５ｍｍ程度とすることができる。本実施形態では、約１．０ｃｍとしている。筐体１０は、高さを２ｍ程度、直径を１ｍ程度としているが、これらに限定されるものではない。
【００１２】
載置台２０は、筐体１０の円筒内に収容されている。載置台２０は、上面に、表示媒体３０であるところの、液晶パネル３１，３２およびＬＥＤパネル３３が載置される台である。載置台２０は、円盤状をしていて、その径は、筐体１０の内壁の径よりも１ｃｍ程度小さくしている。載置台２０は、下面で、広告展示部４０に連結されている。このため、後述するように、土台５０内に設けられている回転手段５１によって、広告展示部４０を直接的に回転させると、結果的に、広告展示部４０に連結されている載置台２０が回転され、したがって、載置台２０に載置されている表示媒体３０も回転されることになる。
【００１３】
もっとも、載置台２０と広告展示部４０とを、ギヤを介して連結することによって、載置台２０と広告展示部４０との回転速度を変更させたり、回転方向を異ならせたりしてもよい。さらに、回転手段５１に加えて他の回転手段を設け、載置台２０と広告展示部４０とを別々に回転させてもよい。
【００１４】
表示媒体３０は、液晶パネル３１，３２と、ＬＥＤパネル３３とを含む。もっとも、表示媒体３０を構成するパネル数は３つ以外でもよい。また、すべてを液晶パネルとしてもよいし、すべてをＬＥＤパネルとしてもよい。さらに、液晶パネルに代えて、有機ＥＬパネル、プラズマディスプレイパネル、ブラウン管パネルなどを用いることもできる。
【００１５】
液晶パネル３１，３２は、例えば、２０インチ、３２インチ、５２インチなどの汎用サイズのものを用い、ＬＥＤパネル３３も選択されたサイズと同様のサイズのものを用いている。液晶パネル３１，３２は、主として動画広告が再生される表示媒体であるが、静止画広告が再生される表示媒体として用いてもよい。ＬＥＤパネル３３は、その前面に、広告が印刷等されている透光性を有するプラスチックなどが配置されている。ＬＥＤパネル３３には、たとえば、パワーＬＥＤなどのように高輝度で低消費電力のＬＥＤが２次元状に配列されている。
【００１６】
表示媒体３０を、液晶パネル３１，３２と、ＬＥＤパネル３３というように２種類のパネルから構成することによって、１種類のパネルのみによって構成するよりも広告効果が高めることができる。すなわち、人間は、変化がある物は目に入りやすいという習性があるので、液晶パネル３１，３２に動画を表示させると、広告装置の周辺を通る人が当該動画に注目しやすいという点で広告効果が高められる。
【００１７】
一方、ＬＥＤパネル３３は、相対的には液晶パネルよりも安価なランニングコストで高輝度の照明を得ることができるので、典型的には広告装置の遠方を通る人に対しても広告表示を気付かせることができるという点で広告効果が高められる。
【００１８】
また、副次的な効果として、広告装置の周辺を通るか遠方を通るかに拘わらず、表示媒体を回転させることによって、輝度の異なる照明を提供することによっても、人間の目にとっては変化があるため、広告効果が高められる。
【００１９】
広告展示部４０は、ここでは、断面が六角形状の概形をしているが、別の形状でもよい。広告展示部４０には、プラスチック製、紙製などの広告を展示することが可能である。当該展示によって、広告表示面が増えるため、より広告展示効果を高めることが可能となる。もっとも、広告展示自体は、付加的なものであり、必ずしも、広告展示部４０に広告展示をしなければならないわけではない点に留意されたい。一例としては、広告展示部４０の少なくとも表面を、鏡、金属などのように光反射に優れた材質のものとすることができる。
【００２０】
こうすると、広告装置の外部からの光が反射可能となるので、表示媒体３０とともに広告展示部４０を回転させれば、広告展示部４０からの光の反射角が変わることになる。したがって、広告装置の周辺を通る人に対して、あるタイミングでは光が反射し、別のタイミングでは光が反射しなくなるといった変化を与えることができる。この結果、広告装置の周辺を通る人に対して、広告装置に対して注目させることが可能となり、ひいては、表示媒体３０に表示している広告に対して注目させることもできる。
【００２１】
土台５０は、広告展示部４０に連結されている。土台５０は、表示媒体３０を広告展示部４０と一体的に回転させる回転手段５１と、センサ６０によってセンシングされた周辺環境に基づいて回転手段５１の回転態様を制御する制御手段５２と、液晶パネル３１，３２に表示すべき広告画像及びその属性などが格納されているメモリ５３と、表示媒体３０に接続されている電源線などの各種配線５４とが内蔵されている。土台５０の底面には、広告装置の運搬時などに利用する、複数の車輪が設けられている。
【００２２】
また、土台５０に車輪の駆動手段を内蔵させ、さらに土台５０等に障害物検知センサを設けてもよい。こうすると、障害物検知センサから出力されるセンシング信号に従って駆動手段をオンさせることによって、車輪を駆動させて、広告装置自体を移動式としてもよい。なお、土台５０の底部に吸引手段を設けることによって、広告装置周辺のゴミ収集を行えるようにしてもよい。
【００２３】
回転手段５１は、広告展示部４０に連結された回転テーブルに、その軸が接続されているモータ（図示せず）を備えている。回転手段５１は、制御手段５２からの命令に従ってモータを駆動させ、広告展示部４０を通じて表示媒体３０を回転させている。
【００２４】
制御手段５２は、メモリ５３に格納されている、オペレーションシステム、各種アプリケーションプログラムなどの種々のプログラムに従って、広告装置全体の動作を司るものである。具体的には、制御手段５２は、液晶パネル３１，３２に対する広告画像の表示命令を行い、ＬＥＤパネル３３に配列されているＬＥＤに対する発光命令を行い、センサ６０に対するセンシング命令を行い、その結果得られるセンシング結果に基づいて回転手段５１に対する回転命令を行うなどといった動作を行う。換言すると、上記アプリケーションプログラムは、制御手段５２に、これらの各種命令を実行させるようなプログラムである。
【００２５】
メモリ５３には、制御手段５２によって読み出される、オペレーションシステム、各種アプリケーションプログラムなどに加え、同じく制御手段５２によって読み出される、音声パターン、画像パターンなどが格納されている。この種の音声パターン、画像パターンなどは、制御手段５２によって表示媒体３０の回転態様を制御する際に用いられる。
【００２６】
画像パターン等を用いた制御手段５２の具体的な動作については後述するが、画像パターンがどのようなものであるかを概説すると、当該画像パターンとは、センサ６０であるところの撮像手段によって撮像される被写体の性別、被写体の年齢層、被写体の服装の嗜好等をパターンマッチングによって特定するためのマッチング画像とすることができる。
【００２７】
また、メモリ５３に格納されている広告画像の属性とは、たとえば、当該広告画像のターゲットとしている性別・年齢層・服装の嗜好等の情報である。広告画像の属性に、商品名・商品種別など、回転手段５１に対する回転命令に用いることができる種々の情報を含めてもよい。
【００２８】
各種配線５４は、図示しないベアリングの環内を通されている。これにより、回転手段５１によって表示媒体３０が回転される際に、各種配線５４が表示媒体３０の回転を阻害することを回避している。
【００２９】
センサ６０は、広告装置本体の周辺環境をセンシングするものである。センサ６０は、マイクロフォンなどの集音手段、カメラなどの撮像手段、サーミスタなどの温度測定手段等を含む。これらの各手段は、どのようなものを用いてもよいが、本実施形態では、集音手段としてたとえば無指向性マイクロフォン、撮像手段としていわゆる３６０度カメラを用いている。もっとも、指向性マイクロフォン及びデジタルスチルカメラなどを複数設置してもよい。
【００３０】
つぎに、図１に示す広告装置の動作について説明する。図１に示す広告装置は、主電源がオンされると、制御手段５２によって、既知のように、メモリ５３に格納されているオペレーションシステムが起動され、次いで、広告用のアプリケーションプログラムが起動される。
【００３１】
制御手段５２は、広告用のアプリケーションプログラムに従って、図示しない表示制御部に対して、メモリ５３に格納されている広告画像を読み出して液晶パネル３１，３２に出力するといった表示命令を行い、かつ、ＬＥＤパネル３３に配列されているＬＥＤの発光命令を行う。表示制御部は、これらの命令に従って、液晶パネル３１，３２に広告画像を表示させ、かつ、ＬＥＤパネル３３を点灯させる。
【００３２】
また、回転制御用のアプリケーションプログラムが起動されると、制御手段５２から回転手段５１に対して、所定の回転速度で例えば反時計回りに、表示媒体３０を回転させるための回転命令がなされる。回転手段５１は、この回転命令に従って、図示しないモータを駆動させ、回転テーブルの回転を開始する。この結果、広告展示部４０を通じて表示媒体３０を回転することになる。
【００３３】
つぎに、センサ用のアプリケーションプログラムが起動され、制御手段５２からセンサ６０に対して、広告装置の周辺環境をセンシングするためのセンシング命令がなされる。センサ６０は、このセンシング命令に従って、集音、撮像などを行い、センシング結果を制御手段５２へ出力する。
【００３４】
制御手段５２は、センサ６０であるところの３６０度カメラから出力される画像信号を入力すると、画像処理用のアプリケーションプログラムに従って、当該画像信号を円環画像から直交画像に変換するなどの処理を施す。
【００３５】
つぎに、制御手段５２は、メモリ５３を参照して、表示中の広告に係る属性と画像パターンとを読み出す。そして、その属性にマッチする被写体が、直交画像内に含まれているか否かを判別する。
【００３６】
具体的には、表示中の広告が化粧品関係の広告であったとし、その属性が、女性・２０代・赤い服を好みとしている（着ている）といったものであるとする。一方、画像パターンとしては、人物写真とその人物の性別・年齢とが一対とされたものが多数用意されているとする。この仮定の下では、制御手段５２は、直交画像内に赤い服を着ている被写体がいることを特定したら、その者の画像と画像パターンとのマッチング処理を施し、その者の性別・年齢層を予測する。
【００３７】
制御手段５２は、予測結果が、上記属性に合致する場合には、画像信号等を用いて、その者（特定人）の歩行速度を割り出し、かつ、表示中の広告がその者に長時間向けられるように、表示媒体３０の回転速度を制御する。
【００３８】
なお、ここでいう回転速度とは、単位時間の回転距離と回転方向とを合わせたベクトル量をいう。したがって、本実施形態の場合でいえば、当初、たとえば反時計回りに回転していた表示媒体３０が、反転して、時計回りに回転するような態様、表示媒体３０が静止している態様も含む。
【００３９】
回転手段５１に対する回転命令の開始から終了までの一連の制御は、たとえば１０秒間といった所定時間行うことができる。したがって、この例の場合には、特定人となる者が画像信号に含まれていると判別されたのであれば、その後、約１０秒間、表示媒体３０の回転速度が制御されることになる。
【００４０】
一方、特定人となる者が画像信号に含まれていると判別されない間は、たとえば、２０秒当たりで１回転させるといった回転速度で、表示媒体３０を回転させればよい。
【００４１】
以上説明したように、表示媒体３０の回転速度を制御すると、表示中の広告画像のターゲットとしている特定人に対して当該広告に対する接触機会を増加できるので、広告効果が増大する。
【００４２】
その他にも、たとえば、表示媒体３０の回転速度が急に速くなったり、表示媒体３０の回転方向が反転したりといった現象が生じうる。人間は、変化がある物は目に入りやすいという習性があるので、上記のように、表示媒体３０の回転速度を制御すると、特定人以外の者も図１に示す広告装置に注目しやすくなることから広告効果が増大する。
【００４３】
ここで、上記の一連の説明では、撮像手段からのセンシング結果を利用して、表示媒体３０の回転速度を制御する場合の動作を説明したが、特定人の移動速度は、マイクロフォンの集音方向の変化、サーモグラフィによる計測温度位置の変化などを用いて割り出してもよい。
【００４４】
さらに、広告効果を増大させるための実施例として、以下のような手法を採用することもできる。すなわち、表示中の広告に係る属性として、商品名・商品種別などを用意するとともに、これらに対応する音声パターンをメモリ５３に格納しておく。そして、集音手段からの集音結果を音声パターンと対比して、これらが一致した場合に、集音元となる特定人を判別して、その後は既述のようにその者の移動速度を割り出して、表示媒体３０の回転速度を制御することができる。
【００４５】
かかる場合には、たとえば広告装置の周辺の通行人が、上記の例でいえば化粧関係の会話をしていたとすると、その者（特定人）に対して、効果的に広告との接触機会を付与することができる。
【００４６】
また、サーモグラフィによる計測温度結果に基づいて、特定人を判別することもできる。典型例を説明すると、表示中の広告がホットドリンクに関するものであった場合には、通行人の温度測定結果が低温を示す場合、その者を特定人とし、その者に向けて、ホットドリンクの広告を集中的に表示させるようにすることもできる。
【００４７】
以上説明したように、本実施形態の広告装置は、従来の広告形態としては斬新な、広告表示媒体自体を回転させるという手法を採用することによって、広告装置の設置場所を通る人と広告との接触機会を設けることができる。また、本実施形態の広告装置は、表示媒体の回転態様を変化させることによって、そこに多数の人を注目させるような工夫をしている。このため、広告装置の設置場所を通る人と広告との接触機会を更に増加させることが可能となる。
【図面の簡単な説明】
【００４８】
【図１】本発明の実施形態の広告装置の模式的な外観を示す斜視図である。
【図２】図１の一部を切り欠いて模式的な内部構造を示す斜視図である。
【符号の説明】
【００４９】
１０  筐体
２０  載置台
３０  表示媒体
３１，３２  液晶パネル
３３  ＬＥＤパネル
４０  広告展示部
５０  土台
５１  回転手段
５２  制御手段
５３  メモリ
５４  配線
６０  センサ
【図１】
2010128110.tif 000003
【図２】
2010128110.tif 000004